(57)【特許請求の範囲】
【請求項１】
被洗浄車両を跨ぐ洗車機本体の上部に前記被洗浄車両の上面を洗浄するトップブラシを配した洗車機において、
前記トップブラシを回転させる回転モータと、
前記トップブラシの両端にそれぞれ接続して前記トップブラシを吊り下げる第１ワイヤ及び第２ワイヤと、
第１ワイヤ及び第２ワイヤを巻回して前記トップブラシを昇降させる昇降モータと、
前記トップブラシの回転軸を回転自在に支持するとともに、前記ワイヤが接続されるホルダと、
前記ホルダに軸支して上下に配される第１ガイドローラ及び第２ガイドローラと、
前記洗車機本体に配されるとともに、第１ガイドローラ及び第２ガイドローラを上下に案内する案内部と、
を備え、
前記トップブラシに対して一方の側方に前記回転モータ及び前記昇降モータを配置し、
前記案内部が前後に配される平行な２本のレールを有し、第１ガイドローラが後方の前記レールから離れて前方の前記レール上を転動するとともに、第２ガイドローラが前方の前記レールから離れて後方の前記レール上を転動することを特徴とする洗車機。
【請求項２】
前記回転軸に対して前後方向に離れた位置で前記ワイヤを前記ホルダに接続し、前記ホルダを前記案内部の案内方向に対して前後方向に傾斜することを特徴とする請求項１に記載の洗車機。
【請求項３】
前記回転モータは軸方向を前記回転軸に垂直な面に対して平行に配されるとともに、前記回転軸に直結され、
前記案内方向に対して前後方向に傾斜することを特徴とする請求項２に記載の洗車機。
【請求項４】
前記ワイヤの巻き取り量を検知する巻取センサを備え、前記巻取センサは前記トップブラシに対して前記昇降モータと同じ側方に配されることを特徴とする請求項１〜３のいずれかに記載の洗車機。
【発明の詳細な説明】
【技術分野】
【０００１】
本発明は、給油所等に設置して被洗浄車両の洗車を行う洗車機に関する。
【背景技術】
【０００２】
給油所等に設置される従来の洗車機は特許文献１に開示される。この洗車機は被洗浄車両の前後に開口部が形成された門型の洗車機本体を備えている。洗車機本体が被洗浄車両を跨いで被洗浄車両に対して前後に相対移動する。
【０００３】
洗車機本体には被洗浄車両の上面を洗浄するトップブラシと、トップブラシの重量に対応するつり合いおもりと、がワイヤに接続される。トップブラシの左右両端は長さの違うワイヤを介して吊り下げられ、それぞれのワイヤは右側部に設けられたつり合いおもりに接続される。トップブラシはつり合いおもりの重量を利用して被洗浄車両の上面まで上昇させられ、被洗浄車両の上面と当接して洗浄する。
【０００４】
また、特許文献１において、トップブラシの軸方向の両端にそれぞれ接続されるワイヤを昇降モータにより巻回すると容易にトップブラシを昇降させることもできる。この時、１つの昇降モータにより２本のワイヤを巻回することにより、省スペース化を図ることができる。
【先行技術文献】
【特許文献】
【０００５】
【特許文献１】特開昭５４−１１８６６３号公報
【発明の概要】
【発明が解決しようとする課題】
【０００６】
ワイヤを介してトップブラシを被洗浄車両に対して所定の距離を維持して吊り下げた場合、ワイヤには経年変化による伸びが発生する。この時、ブラシの両端から接続されるワイヤを１つの昇降モータにより巻回した際に、それぞれのワイヤの長さが異なる。このため、長い方のワイヤは短い方のワイヤよりも経年変化による伸びが大きいため、長期間使用するとトップブラシの左右端の高さが揃わなくなる。これにより、被洗浄車両に対して均一にトップブラシが接触しなくなって洗浄能力が低下する。また、トップブラシの左右端の高さを調整するためにメンテナンス頻度が上昇する。
【０００７】
本発明は、メンテナンス頻度を低減して洗浄能力を維持できる洗車機を提供することを目的とする。
【課題を解決するための手段】
【０００８】
上記目的を達成するために本発明は、被洗浄車両を跨ぐ洗車機本体の上部に前記被洗浄車両の上面を洗浄するトップブラシを配した洗車機において、前記トップブラシを回転させる回転モータと、前記トップブラシの両端にそれぞれ接続して前記トップブラシを吊り下げる第１ワイヤ及び第２ワイヤと、第１ワイヤ及び第２ワイヤを巻回して前記トップブラシを昇降させる昇降モータと、を備え、前記トップブラシに対して一方の側方に前記回転モータ及び前記昇降モータを配置したことを特徴とする。
【０００９】
この構成によると、被洗浄車両を跨ぐ洗車機本体の上部に被洗浄車両の上面を洗浄するトップブラシが配される。洗車機本体が設定された洗車条件に基づいて、被洗浄車両に対して前後方向に相対移動しながらトップブラシを用いて洗浄を行う。トップブラシの両端はそれぞれ第１ワイヤ及び第２ワイヤにより吊り下げられる。第１ワイヤ及び第２ワイヤを巻回して昇降させる昇降モータと回転モータとはトップブラシに対して一方の側方に配置している。
【００１０】
また、本発明は上記構成の洗車機において、前記トップブラシの回転軸を回転自在に支持するとともに、前記ワイヤが接続されるホルダと、前記ホルダに軸支して上下に配される第１ガイドローラ及び第２ガイドローラと、前記洗車機本体に配されるとともに、第１ガイドローラ及び第２ガイドローラを上下に案内する案内部と、を備え、前記案内部が前後に配される平行な２本のレールを有し、第１ガイドローラが後方の前記レールから離れて前方の前記レール上を転動するとともに、第２ガイドローラが前方の前記レールから離れて後方の前記レール上を転動することを特徴とする。
【００１１】
この構成によると、第１ガイドローラが後方のレールから離れて前方のレール上を転動するとともに、第２ガイドローラが前方のレールから離れて後方のレール上を転動する。このため、ホルダは案内部の案内方向に対して傾斜した姿勢を保ちながら案内される。
【００１２】
また、本発明は上記構成の洗車機において、前記回転軸に対して前後方向に離れた位置で前記ワイヤを前記ホルダに接続し、前記ホルダを前記案内部の案内方向に対して前後方向に傾斜することを特徴とする。
【００１３】
また、本発明は上記構成の洗車機において、前記回転モータは軸方向を前記回転軸に垂直な面に対して平行に配されるとともに、前記回転軸に直結され、前記案内方向に対して前後方向に傾斜することを特徴とする。
【００１４】
また、本発明は上記構成の洗車機において、前記ワイヤの巻き取り量を検知する巻取センサを備え、前記巻取センサは前記トップブラシに対して前記昇降モータと同じ側方に配されることを特徴とする。
【発明の効果】
【００１５】
本発明によると、メンテナンス頻度を低減して洗浄能力を維持できる洗車機を提供できる。
【図面の簡単な説明】
【００１６】
【図１】本発明の実施形態の洗車機の全体構成を示す側面図
【図２】本発明の実施形態の洗車機本体の構成を示す正面図
【図３】本発明の実施形態の洗車機本体の要部構成を示す正面図
【図４】本発明の実施形態の洗車機本体の案内部を示す側面断面図
【発明を実施するための形態】
【００１７】
本発明の第１実施形態を図面を参照して説明する。図１、図２は本実施形態の洗車機を示す側面図、正面図である。洗車機ＷＡは洗車機本体１を備え、洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００１８】
洗車機本体１は前後に開口し、被洗浄車両ＣＡを跨ぐ門型に形成される。洗車機本体１の底面には地面に設けられた左右一対のレール２上に配される車輪３が設けられる。これにより、洗車機本体１はレール２上を走行して被洗浄車両ＣＡに対して前後に相対移動する。
【００１９】
洗車機本体１には被洗浄車両ＣＡをブラッシングする複数の回転するブラシを設けている。ブラシはトップブラシ４、サイドブラシ５及びロッカーブラシ６から成っている。トップブラシ４は被洗浄車両ＣＡの上面を洗浄し、水平な回転軸４Ａ（図３参照）に布（織布、編布、不織布等）や樹脂繊維から成るブラシ毛を放射状に固着して形成される。
【００２０】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ毛を有している。
【００２１】
洗車機本体１の一方の側方には洗剤やワックス等の各種液剤を貯液する複数の貯液タンク（不図示）を収納するタンク収納部５０が配される。タンク収納部５０の上方には市水及び各貯液タンクからの液剤を電磁弁等を介して分配する分配配管部５１が設けられる。分配配管部５１には第１、第２浄水ノズル１１、１３、第１、第２洗剤ノズル１２、１５、撥水コートノズル１４、ワックスノズル１６が導出される。
【００２２】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００２３】
また、洗車機本体１には被洗浄車両ＣＡを乾燥させるトップ送風ノズル２１とサイド送風ノズル２２とを設けている。洗車機本体１の中央上部にはトップ送風ノズル２１が設けられ、両側方にはサイド送風ノズル２２が設けられる。トップ送風ノズル２１及びサイド送風ノズル２２はブロワ２０からの送風を被洗浄車両ＣＡに対して吹き付けて乾燥させる。
【００２４】
洗車機本体１の前面上部には車両センサ８が設けられている。車両センサ８は光電センサや超音波センサ等から成り、洗車機本体１に進入する被洗浄車両ＣＡの外面形状を検知する。
【００２５】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００２６】
洗車条件の設定としてはシャンプー、ワックス掛け、撥水コート等を水洗いに追加するボタンが操作パネル７及びリモートパネル７Ａに設けられる。また、高級なシャンプー、高級なワックス、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００２７】
図３は洗車機本体１のトップブラシ４の要部構成を示す正面図である。トップブラシ４の回転軸４Ａはトップブラシ４の中心から左右方向に伸び、左右に設けられたホルダ６１によって回転自在に支持される。トップブラシ４を回転させる回転モータ６０は右側方に配されて伝達機構５８を介してトップブラシ４の回転軸４Ａに連結される。これにより回転モータ６０はトップブラシ４を回転させる。
【００２８】
ホルダ６１はワイヤ６３Ａ（第１ワイヤ）に接続される右側方のホルダ６１Ａとワイヤ６３Ｂ（第２ワイヤ）に接続される左側方のホルダ６１Ｂとから構成される。ホルダ６１Ａ、Ｂにはそれぞれ上下に配される第１ガイドローラ６２Ａ及び第２ガイドローラ６２Ｂが軸支される。
【００２９】
洗車機本体１の両側部には上下方向に伸びる案内部５９が設けられる。案内部５９は詳細を後述するように前方のレール５９Ｃ（図４参照）と後方のレール５９Ｄ（図４参照）とを備えた水平断面図がコ字状に形成され、第１ガイドローラ６２Ａ及び第２ガイドローラ６２Ｂが当接して転動する。これによりホルダ６１Ａ、６１Ｂは案内部５９の案内によって上下に移動可能になっている。
【００３０】
右側方のホルダ６１Ａの上部はワイヤ６３Ａに接続され、上方に配される滑車６４Ａを介して巻取部６６へ接続される。ホルダ６１Ｂの上部はワイヤ６３Ｂに接続され、上方に配される滑車６４Ｂ及び滑車６４Ａを介して巻取部６６へ接続される。
【００３１】
巻取部６６は昇降モータ６５のモータ軸（不図示）と連結されており、昇降モータ６５の巻回によってホルダ６１Ａ及びホルダ６１Ｂは昇降する。これによりトップブラシ４はワイヤ６３により吊り下げられて被洗浄車両ＣＡとの距離を一定に維持され、昇降モータ６５の駆動により昇降自在になっている。
【００３２】
洗車機ＷＡの使用を継続すると、ワイヤ６３Ａ、６３Ｂはトップブラシ４の重量により経年変化して伸びが発生する。この時、ホルダ６１Ｂと巻取部６６との間のワイヤ６３Ｂはホルダ６１Ａと巻取部６６との間のワイヤ６３Ａよりも長くなっている。これにより、ワイヤ６３Ａ、６３Ｂに加わる荷重が同じであると、ワイヤ６３Ａよりもワイヤ６３Ｂの伸びが大きくなる。
【００３３】
このため、トップブラシ４を回転駆動する回転モータ６０と昇降モータ６５とをトップブラシ４に対して同じ一方の側方に配している。これにより、ワイヤ６３Ａに加わる荷重がワイヤ６３Ｂよりも大きくなり、経年変化による伸びを左右で均一化することができる。
【００３４】
トップブラシ４及びホルダ６１の重量をＭ１、回転モータ６０の重量をＭ２とし、使用頻度の高いトップブラシ４の配置におけるホルダ６１Ａと巻取部６６との間のワイヤ６３Ａの長さをＬ１、ホルダ６１Ｂと巻取部６６との間のワイヤ６３Ｂの長さをＬ２とすると、式（１）の関係を有するように重量Ｍ１、Ｍ２を決めるとより望ましい。これにより、経年変化によるワイヤ６３Ａ、６３Ｂの伸びを略同じにすることができる。
【００３５】
Ｌ２（Ｍ１／２＋Ｍ２）＝Ｌ１Ｍ１／２  ・・・（１）
【００３６】
滑車６４Ａと巻取部６６との間にはワイヤ６３Ａ、６３Ｂの緩みを検出する緩み検出部７５が配される。緩み検出部検出部７５はワイヤ６３Ａを検出する緩み検出部７５Ａとワイヤ６３Ｂを検出する緩み検出部７５Ｂとからなる。緩み検出部７５Ａ、７５Ｂは引っ張りバネ７０Ａ、７０Ｂと、レバー７１Ａ、７１Ｂと、滑車６９Ａ、６９Ｂと、緩み検知センサ７４と、を有している。引っ張りバネ７０Ａ、７０Ｂは一端を洗車機本体１に接続され、他端をレバー７１Ａ、７１Ｂの上端に固定される。
【００３７】
レバー７１Ａ、７１Ｂは支点７３Ａ、７３Ｂを洗車機本体１に支持されて回動自在に配される。滑車６９Ａ、６９Ｂはレバー７１Ａ、７１Ｂの下端に回転自在に支持され、滑車６４Ａ、６４Ｂと巻取部６６との間のワイヤ６３Ａ、６３Ｂに接して配される。緩み検知センサ７４はレバー７１Ａ、７１Ｂの移動を検出する。ワイヤ６３Ａ及びワイヤ６３Ｂの少なくとも一方が緩むと緩み検出部７２は異常動作であると判定し、制御部（不図示）を介してトップブラシ４の下降及び回転を止めることができる。
【００３８】
図４は右側方の案内部５９の側面断面図である。案内部５９には前後に配される平行な２本のレール５９Ｃ、５９Ｄを有する。ホルダ６１Ａ、６１Ｂに設けた。第１ガイドローラ６２Ａは回転軸６２Ｃを中心に回転し、第２ガイドローラ６２Ｂは回転軸６２Ｄを中心に回転する。
【００３９】
ホルダ６１Ａはトップブラシ４の回転軸４Ａに対して後方向に離れた位置の上部でワイヤ６３Ａに接続される。これによりホルダ６１Ａの前方が下方へ傾き、第１ガイドローラ６２Ａが後方のレール５９Ｄから離れて前方のレール５９Ｃ上を転動する。また、第２ガイドローラ６２Ｂは前方のレール５９Ｃから離れて後方のレール５９Ｄ上を転動する。
【００４０】
同様に、左側方のホルダ６１Ｂも回転軸４Ａに対して後方向に離れた位置でワイヤ６３Ｂに接続される。これにより、ホルダ６１Ｂに設けられた第１ガイドローラ６２Ａも同じように後方のレールから離れて前方のレール上を転動する。また、第２ガイドローラ６２Ｂも同じように前方のレールから離れて後方のレール上を転動する。
【００４１】
回転モータ６０はトップブラシ４の回転軸４Ａに直結される。回転モータ６０のモータ軸Ｍは回転軸４Ａに垂直な面に平行に配される。また、モータ軸Ｍは案内部５９の案内方向Ａに対して下方を後方に傾斜する。これにより、回転モータ６０の重心が回転軸４Ａに対して前方に配される。
【００４２】
従って、より確実に第１ガイドローラ６２Ａを後方のレール５９Ｄから離して前方のレール５９Ｃ上を転動させることができる。また、第２ガイドローラ６２Ｂを前方のレール５９Ｃから離して後方のレール５９Ｄ上を転動させることができる。
【００４３】
これにより、第１、第２ガイドローラ６２Ａ、６２Ｂと両レール５９Ｃ、５９Ｄとの隙間を有しても、トップブラシ４の回転軸４Ａの位置を前後方向で一定にすることができる。従って、回転軸４Ａの位置が一定とるため、トップブラシ４を安定して回転させることができる。
【００４４】
上記構成により、洗車機本体１が設定された洗車条件に基づいて被洗浄車両ＣＡに対して前後方向に相対移動する。そして被洗浄車両ＣＡには貯液タンク５０から液剤が供給され、洗車機本体１に設けた回転ブラシが被洗浄車両ＣＡに摺動して被洗浄車両ＣＡが洗車される。この時、車両センサ８の検知によってトップブラシ４は昇降モータ６５の駆動により被洗浄車両ＣＡの上面に沿って一定の距離を維持して昇降し、被洗浄車両ＣＡの上面を傷つけずに洗浄することができる。
【００４５】
本実施形態によると、トップブラシ４に対して一方の側方に回転モータ６０及び昇降モータ６５を配したので、長さの異なるワイヤ６３Ａ、６３Ｂの経年変化による伸びを均一化することができる。従って、トップブラシ４の回転軸４Ａを略水平に維持することができ、洗車機ＷＡの洗浄能力の低下を防止することができる。また、洗車機本体１の左右方向の同じ側に回転モータ６０及び昇降モータ６５が配されるため、配線の集約化及び洗車機本体１の小型化を図ることができる。
【００４６】
また、第１ガイドローラ６２Ａが後方のレール５９Ｄから離れて前方のレール５９Ｃ上を転動するとともに、第２ガイドローラ６２Ｂが前方のレール５９Ｃから離れて後方のレール５９Ｄ上を転動する。これにより、回転軸４Ａの前後方向の位置が一定となり、トップブラシ４を安定して回転させることができる。
【００４７】
また、回転軸４Ａに対して後方向に離れた位置でワイヤ６３Ａ、６３Ｂをホルダ６１Ａ、６１Ｂに接続したため、回転軸４Ａの前後方向の位置を容易に一定にすることができる。
【００４８】
また、回転モータ６０の軸方向Ｍが案内部５９の案内方向Ａに対して傾斜するため、回転軸４Ａの前後方向の位置をより確実に一定にすることができる。
【００４９】
また、ワイヤ６４の巻き取り量を検知する巻取センサ６７を備え、巻取センサ６７は昇降モータ６５と同じ右側方に配される。このためトップブラシ４の高さ位置を正確に把握するとともに、洗車機本体１の配線の集約化及び小型化することができる。
【００５０】
本実施形態において、トップブラシ４の回転軸４Ａに対して前方に離れた位置でワイヤ６３Ａ、６３Ｂをそれぞれホルダ６１Ａ、６１Ｂに接続してもよい。これにより、ガイドローラ６２Ａが前方のレール５９Ｃから離れて後方のレール５９Ｄ上を転動し、ガイドローラ６２Ｂが後方のレール５９Ｄから離れて前方のレール５９Ｃ上を転動する。この時、回転モータ６０の重心を回転軸４Ａに対して後方に配するとより好ましい。また、昇降モータ６５及び回転モータ６０は左側方に設けてもよい。
【産業上の利用可能性】
【００５１】
本発明によると、給油所等に設置して被洗浄車両の洗車を行う洗車機に利用することができる。
【符号の説明】
【００５２】
１      洗車機本体
４      トップブラシ
４Ａ    回転軸
５      サイドブラシ
６      ロッカーブラシ
７      操作パネル
７Ａ    リモートパネル
２３    乾燥部
５９    案内部
６０    回転モータ
６１    ホルダ
６２Ａ  第１ガイドローラ
６２Ｂ  第２ガイドローラ
６３Ａ  第１ワイヤ
６３Ｂ  第２ワイヤ
６５    昇降モータ
６７    巻取センサ
Ａ      案内方向
ＣＡ    被洗浄車両
Ｍ      モータ軸
ＷＡ    洗車機
【図１】
0005659977.tif 000002
【図２】
0005659977.tif 000003
【図３】
0005659977.tif 000004
【図４】
0005659977.tif 000005